【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
キー入力部を有する第１筐体部と表示部を有する第２筐体部とが折り畳み可能に設けられた携帯型情報処理装置であって、
複数の画像を記憶する記憶手段と、
前記第１筐体部と前記第２筐体部との配置状態を判別する判別手段と、
前記判別手段により、前記表示部が外側に向けられた状態で、前記第２筐体部が前記第１筐体部に折り畳まれている特定の状態であると判別された場合、前記記憶手段に記憶されている複数の画像を順次切り換えて前記表示部に表示する表示制御手段と
を具備することを特徴とする携帯型情報処理装置。
【請求項２】
当該装置が当該装置を充電するための充電台にセットされていることを検知する充電検知手段を備え、
前記判別手段は、前記充電検知手段により、当該装置が当該装置を充電するための充電台にセットされていると検知されたことを条件に、前記第１筐体部と前記第２筐体部との配置状態を判別することを特徴とする請求項１記載の携帯型情報処理装置。
【請求項３】
何らの操作もなく所定時間放置されていることを検知する放置検知手段を備え、
前記判別手段は、前記放置検知手段により、当該装置が所定時間放置されていることを検知されたことを条件に、前記第１筐体部と前記第２筐体部との配置状態を判別することを特徴とする請求項１記載の携帯型情報処理装置。
【請求項４】
前記第２筐体部の左右何れか一方端にスピーカが設けれ、前記表示部が内側に向けられて前記第１筐体部と前記第２筐体部とが折り畳まれた状態で、少なくとも一方が前記スピーカに近接し、前記表示部が外側に向けられて前記第１筐体部と前記第２筐体部とが折り畳まれた状態で、他方が前記スピーカに近接するように、前記第１筐体部の左右の両端に一対の磁気センサが設けられ、
前記判別手段は、前記一対の磁気センサの何れか一方に磁気が検出されるか否かによって、前記特定の状態にあるか否かを判別することを特徴とする請求項１ないし３のいずれかに記載の携帯型情報処理装置。
【請求項５】
当該装置は、音声通話可能な通信機能を有し、
前記判別手段は、前記通信機能が着信待ちにあり、かつ前記条件にあるとき、前記第１筐体部と前記第２筐体部との配置状態を判別することを特徴とする請求項２または３に記載の携帯型情報処理装置。
【請求項６】
前記表示制御手段は、前記複数の画像を順次切り換えて表示している間に、前記通信機能による音声着信があった場合には、順次切り換え表示を中止することを特徴とする請求項５記載の携帯型情報処理装置。
【請求項７】
前記表示制御手段は、前記通信機能による音声通話が終了すると、前記複数の画像を順次切り換えて表示する動作を再開することを特徴とする請求項６記載の携帯型情報処理装置。
【請求項８】
前記表示部の画面は、縦横比が非対称であり、
前記表示制御手段は、前記特定の状態であると判別され、かつ当該装置が前記充電台にセットされていると検知された場合には、前記複数の画像を前記表示部の画面の長手方向を左右として切り換え表示することを特徴とする請求項２記載の携帯型情報処理装置。
【請求項９】
前記表示部の画面は、縦横比が非対称であり、
前記表示制御手段は、前記特定の状態であると判別され、かつ当該装置が所定時間放置されたと検知された場合には、前記複数の画像を前記表示部の画面の長手方向を上下として切り換え表示することを特徴とする請求項３記載の携帯型情報処理装置。
【請求項１０】
前記表示制御手段は、前記複数の画像を前記表示部の画面の長手方向を左右として切り換え表示する場合には、切り換え表示する画像を左右方向にスライドさせ、前記複数の画像を前記表示部の画面の長手方向を上下として切り換え表示する場合には、切り換え表示する画像を上下方向にスライドさせることを特徴とする請求項８または９記載の携帯型情報処理装置。
【請求項１１】
キー入力部を有する第１筐体部と表示部を有する第２筐体部とが折り畳み可能に設けられた携帯型情報処理装置のスライド表示起動方法であって、
前記第１筐体部と前記第２筐体部との配置状態を判別し、前記表示部が外側に向けられた状態で、前記第２筐体部が前記第１筐体部に折り畳まれている特定の状態であると判別された場合、複数の画像を順次切り換えて前記表示部に表示することを特徴とするスライド表示起動方法。
【請求項１２】
キー入力部を有する第１筐体部と表示部を有する第２筐体部とが折り畳み可能に設けられた携帯型情報処理装置のスライド表示起動プログラムであって、
前記第１筐体部と前記第２筐体部との配置状態を判別するステップと、
前記表示部が外側に向けられた状態で、前記第２筐体部が前記第１筐体部に折り畳まれている特定の状態であると判別された場合、複数の画像を順次切り換えて前記表示部に表示するステップと
をコンピュータに実行させることを特徴とするスライド表示起動プログラム。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】